(57)【要約】      （修正有）【課題】分流弁の動作不良という問題を防止する、トイガンの分流弁を提供する。【解決手段】主に、プッシュ部１１と、回転補助部１２と、係止部１３とからなる。更に、回転補助部１２はプッシュ部１１の一面から延伸して形成され、係止部１３は回転補助部１２におけるプッシュ部１１から離れた一端に区分けされて設けられる。このうち特に、回転補助部１２には、複数個の翼部１２２が区分けされて設けられるとともに、各翼部１２２はプッシュ部１１から離れた方向に向かって捩れた形態をなすことで、翼部１２２はそれぞれ少なくとも一つの捩れ面１２３を有する。以上により、高圧気体が回転補助部１２を通った時、翼部１２２によって連動された回転補助部１２が回転を生じ、これにより効果的に気室内の霜が除去される。【選択図】図１
0003206420.tif 000002
【実用新案登録請求の範囲】
【請求項１】
プッシュ部と、回転補助部と、係止部とからなる、トイガンの分流弁であって、
前記回転補助部は、前記プッシュ部一面から延伸して形成されるとともに、前記回転補助部には、気体が通過するための分流孔が設けられ、且つ前記回転補助部には、複数個の翼部が区分けされて設けられ、
更に、各前記翼部は、前記プッシュ部から離れた方向に向かって捩れた形状をなすことで、前記翼部はそれぞれ少なくとも一つの捩れ面を有し、
前記係止部は、前記回転補助部における前記プッシュ部から離れた一端に区分けされて設けられ、且つ前記係止部は、弾性部品によって固定されることを特徴とする、トイガンの分流弁。
【請求項２】
更に、前記プッシュ部における前記回転補助部から離れた面には、気体が集まるための凹溝部が設けられることを特徴とする、請求項１に記載のトイガンの分流弁。
【請求項３】
更に、前記分流弁は、銃の気室内に設けられることを特徴とする、請求項１に記載のトイガンの分流弁。
【請求項４】
更に、複数の前記翼部は、互いの夾角が１１５度から１２５度であるとともに、
各前記翼部は、前記プッシュ部から離れた方向に向かって９０度回転していく形状で捩れて設けられることを特徴とする、請求項１に記載のトイガンの分流弁。
【考案の詳細な説明】
【技術分野】
【０００１】
本考案は、トイガンに関し、特に、気室内の霜を除去することが可能な、トイガンの分流弁に関する。
【背景技術】
【０００２】
現在のトイガンは、既に大人にも子供にも適した商品になっている。トイガンは、本物の銃を所持出来ないプレーヤーがサバイバルゲームといった銃撃戦ゲームを行うために十分なものである。よって、トイガンは、安全で、且つプレーヤーの需要を満たすことが可能であると言える。トイガンの構造は、近年絶え間なく改良されており、トイガンを手に持った際の感覚や撃発の瞬間が本物の銃の質感により近づいてきている。このうち、ガスガンの分流弁の構造について述べると、一般的な分流弁構造は、非常に簡単且つ単純であり、主に長細形状の棒体が設けられるとともに、棒体一端は弾性部品が固設される台座を有し、棒体他端は気体がぶつかるための平面を有する。これにより、分流弁によってスムーズにシリンダーが後方へ押し動かされて、銃の位置戻り動作が行われる。
【０００３】
しかし、上述した分流弁は使用時において、下記の問題と欠陥が存在しており、改善が望まれる。
【０００４】
従来の分流弁は、シリンダーを後方へ押し動かして銃の位置戻り動作を行うことが可能であるものの、ガスの気化時におけるエネルギー吸収によって、気室に霜が生じ易い。一度気室に霜が生じると、分流弁の動作がスムーズでなくなり不具合を生じてしまう。
【考案の概要】
【考案が解決しようとする課題】
【０００５】
本考案は、回転補助部の翼部によって、分流弁が作動時に回転を生じるようにすることで、効果的に気室内に生じた霜を除去する、トイガンの分流弁を提供することを目的とする。
【０００６】
また本考案は、凹溝部の構造によって、気体を集中させて、気室の密封をよりスムーズにするとともに、ピストンをよりスムーズに押し動かして、ピストンを完全に位置戻りさせる、トイガンの分流弁を提供することを目的とする。
【課題を解決するための手段】
【０００７】
上述の目的を達成するために、本考案の分流弁は、主にプッシュ部からなるとともに、前記プッシュ部一面には、少なくとも一つの凹溝部が設けられ、更に凹溝部から離れた側面には、回転補助部が延伸して形成される。前記回転補助部には、複数個の翼部が区分けされて設けられるとともに、各翼部はプッシュ部から離れた方向へ向かって捩れた形状をなすことで、前記翼部はそれぞれ少なくとも一つの捩れ面を有する。加えて、各翼部の中央部分は、気体を通過させるための分流孔を有する。このほか、回転補助部におけるプッシュ部から離れた一端には、弾性部品によって固定されるための係止部が区分けされて設けられる。以上により、高圧気体が分流孔から流入した時、気体が捩れ面に接触することで分流弁全体が回転して、気室に対する霜取りが行われるという利点が得られる。加えて、一部の気体はピストンにぶつかった後に弾き返されて凹溝部まで至り、これにより分流弁が気体の力によってピストンから離れた方向へ押し動かされるとともに、気室が気密状態になった後、銃が完全に位置戻りする。よって、気体の不足時でもピストンを押し動かすことが可能になる。このほか、分流弁が回転を生じることで渦巻き現象が生じ、これにより加圧された気体が銃弾を前方へ押し動かして銃弾速度を安定させる。
【考案の効果】
【０００８】
以上の技術により、本考案は、従来の分流弁における問題点、即ち、気室に霜が生じると分流弁が引っ掛かって動作不能になるという問題点を解決して、上述した長所に基づく実用進歩性を達成することが出来る。
【図面の簡単な説明】
【０００９】
【図１】本考案の実施例の分流弁を示した斜視図１である。
【図２】本考案の実施例の分流弁を示した斜視図２である。
【図３】本考案の実施例における気室の結合を示した概略図である。
【図４】本考案において気流が分流孔と気室を通る動作を示した概略図である。
【図５】本考案において気流が捩れ面を通る動作を示した概略図である。
【図６】本考案において気流が凹溝部にぶつかる動作を示した概略図である。
【図７】本考案において分流弁が回転移動する動作を示した概略図である。
【考案を実施するための形態】
【００１０】
図１及び図２を参照する。図は、本考案の実施例の分流弁を示した斜視図１及び２である。図に示したように、本考案の分流弁１は、主に、プッシュ部１１と、回転補助部１２と、係止部１３とからなる。
【００１１】
プッシュ部１１における回転補助部１２から離れた面には、気体が集められる凹溝部１１１が設けられる。
【００１２】
回転補助部１２は、プッシュ部１１一面から延伸して形成されるとともに、回転補助部１２には、気体を通過させるための分流孔１２１が設けられ、且つ回転補助部１２には更に、複数個の翼部１２２が互いの夾角が１１５度から１２５度になるように区分けされて設けられる。更に、各翼部１２２は、プッシュ部１１から離れた方向に向かって９０度回転していく形状で捩れて設けられることで、翼部１２２はそれぞれ少なくとも一つの捩れ面１２３を有する。
【００１３】
係止部１３は、回転補助部１２におけるプッシュ部１１から離れた一端に区分けされて設けられるとともに、係止部１３は弾性部品によって固定される。
【００１４】
図１（本考案の実施例の分流弁を示した斜視図１）から図７（分流弁が回転移動する動作を示した概略図）までを合わせて参照する。図に示したように、本考案の分流弁１は、銃２の気室２１に設けられるとともに、分流孔１２１は通気道２２と隣接して設けられる。高圧気体３は通気道２２を通過して分流弁１まで達した時、一部の気体３は分流孔１２１に向かって移動し、他の部分の気体３は凹溝部１１１側面まで至る。詳しく言えば、気体３は、分流孔１２１を通って前端へ向かって進行する時、まず捩れ面１２３に接触する。また捩れ面１２３は傾斜して設けられた形態であるため、気体３は捩れ面１２３に接触した後、そのまま捩れ面１２３を押接し、これにより翼部１２２が分流弁１全体を連動させて回転する。このほか、一部の気体３は凹溝部１１１後方へ向かって移動するため、気体３はピストン４にぶつかった後に弾き返って凹溝部１１１まで至ることで、凹溝部１１１に気体３が集中した様態となる。これにより、気体３が凹溝部１１１に更に集中して、生じる推進力が増すことで、分流弁１が一方向に押し動かされて弾性部品５を圧縮するとともに、最後に気室２１が気密状態となった後に、銃２全体が完全に位置戻りする。また前述した動作は、少量の気体３でもピストン４を押し動かすことが可能であるだけでなく、更に重要なことは、分流弁１の高速回転時に付随して、ガス吸熱によって生じた気室２１内の霜を除去することが可能な点である。これにより、分流弁１全体の動作過程が非常にスムーズになり、不具合が無くなる。
【００１５】
全ての図を参照する。本考案は使用時、従来技術と比較して、下記の長所を備えている。
一、回転補助部１２の翼部１２２によって、分流弁１が作動時に回転を生じるようにすることで、効果的に気室２１内に生じた霜を除去することが出来る。
二、凹溝部１１１の構造によって、気体３を集中させて、気室２１の密封をよりスムーズにするとともに、ピストン４をよりスムーズに押し動かして、ピストン４を完全に位置戻りさせることが出来る。
【符号の説明】
【００１６】
１    分流弁
１１    プッシュ部
１１１    凹溝部
１２    回転補助部
１２１    分流孔
１２２    翼部
１２３    捩れ面
１３    係止部
２    銃
２１    気室
２２    通気道
３    気体
４    ピストン
５    弾性部品
【図１】
0003206420.tif 000003
【図２】
0003206420.tif 000004
【図３】
0003206420.tif 000005
【図４】
0003206420.tif 000006
【図５】
0003206420.tif 000007
【図６】
0003206420.tif 000008
【図７】
0003206420.tif 000009